(57)【要約】【課題】誰にでも容易に短時間で頭部に装備して固定でき、しかも、頭部に確実に固定できる面防具の提供を目的とする。【解決手段】面金６及びベルト保持部５１ａ、５２ｂを有する面防具本体２と、２つの固定ベルト３、４と、面金６に連結された２つの折り返し補助部材８ｂとを備えている。固定ベルト３、４は、夫々、一端側が面防具本体２の面金６に連結され、他端側に第１の面ファスナー７３及び第２の面ファスナー７４を備えている。そして、固定ベルト３、４の中間部は、夫々、ベルト保持部５１ａ、５２ｂに挿通されて保持されるとともに、折り返し補助部材８ｂに連結されて折り返されている。その折り返された状態で、第１の面ファスナー７３と第２の面ファスナー７４とが係脱自在に係止可能とされている。【選択図】図２
2008272050.tif 000002
【特許請求の範囲】
【請求項１】
人間における顔部を含む頭部に装備され上記頭部を防護する面防具本体と、上記頭部に装備した面防具本体を上記頭部に対して固定する一対の折り曲げ自在な長尺状の固定ベルトとを備え、
上記面防具本体は、前部側に顔部を前方側から覆って防護する顔防護部を備え、
上記各固定ベルトの長手方向の一端側が、上記顔防護部の左右両側部に連結され、上記各固定ベルトの長手方向の他端側に第１の面ファスナーが設けられるとともに、この第１の面ファスナーを係脱自在に係止する第２の面ファスナーが固定ベルト又は面防具本体の所定箇所に設けられ、
上記各固定ベルトが、上記一端側を連結した顔防護部から面防具本体の後方側を周回するようにして顔防護部付近まで伸ばされるとともに、その顔防護部付近から折り返えされた状態で第１の面ファスナーが第２の面ファスナーに係止されることにより、面防具本体を頭部に対し固定してその固定した状態を維持できるように構成されていることを特徴とする面防具。
【請求項２】
上記面防具は、固定ベルトを顔防護部付近から折り返すための折り返し補助部材を、更に備え、
上記固定ベルトは、所定の幅を有する帯状のものから構成され、
上記折り返し補助部材は、顔防護部に連結された折り曲げ自在な連結片と、この連結片に設けられたベルト掛軸とを備え、
このベルト掛軸に、固定ベルトが掛けられて折り返されることにより、この折り返し補助部材を介して、固定ベルトが顔防護部付近から折り返えされるものであることを特徴とする請求項１記載の面防具。
【請求項３】
上記面防具本体は、固定ベルトを保持するベルト保持部を備え、
上記ベルト保持部は、ベルト挿通孔を備え、このベルト挿通孔に固定ベルトが挿通されることにより、固定ベルトが面防具本体に対する所定位置に配設可能とされるとともに、その所定位置に配設された状態に保持されるものであることを特徴とする請求項１又は２記載の面防具。
【発明の詳細な説明】
【技術分野】
【０００１】
本発明は、人間における顔部を含む頭部に装備されて固定され頭部を防護する面防具に関するものである。
【背景技術】
【０００２】
従来から、例えば剣道に用いられる面防具あるいは逮捕術防具の面防具として、人間における顔部を含む頭部に装備され上記頭部を防護する面防具本体と、上記頭部に装備した面防具本体を上記頭部に対して固定する２本の紐とから構成されたものが広く知られている。そして、例えば２本の紐の一端側を面防具本体の前部側に設けられた顔防護部としての面金に連結するとともに、その連結した面金から面防具本体の後方側を周回させる等して、最終的に面防具本体の後方側で２本の紐の他端同士を互いに括りつける。このようにして、頭部に装備した面防具本体を頭部に対して固定する。
【発明の開示】
【発明が解決しようとする課題】
【０００３】
しかしながら、このものにおいては、頭部に装備した面防具本体の後方側で２本の紐を互いに括りつけるため、面防具本体を装備する本人は、括りつける際に紐が見えない。そのため、装備して固定するのに時間を要する。特に、初心者等にとってはなおさらである。
【０００４】
又、面防具本体に対する紐の配設位置や括りつけ位置が所定の適切な位置でない場合には、使用中に面防具本体が頭部から外れる恐れが生じる。そのため、面防具本体に対して、面防具本体と頭部とを固定するのに適した所定位置に紐を配設するとともに所定の位置で紐を括りつけなければならないが、上述のように、面防具本体を装備した本人は紐が見えない。そのため、上記所定位置に紐を配設して所定の位置で紐を括りつけるのが初心者等にとっては困難である。
【０００５】
本発明は、以上のような実情に鑑み提案されたもので、誰にでも容易に短時間で頭部に装備して固定でき、しかも、頭部に確実に固定できる面防具の提供を目的とする。
【課題を解決するための手段】
【０００６】
本願発明は、上記実情に鑑み提案されたもので、次の特徴を有する面防具を提供する。本願発明の請求項１に記載の面防具は、人間における顔部を含む頭部に装備され上記頭部を防護する面防具本体と、上記頭部に装備した面防具本体を上記頭部に対して固定する一対の折り曲げ自在な長尺状の固定ベルトとを備え、上記面防具本体は、前部側に顔部を前方側から覆って防護する顔防護部を備え、上記各固定ベルトの長手方向の一端側が、上記顔防護部の左右両側部に連結され、上記各固定ベルトの長手方向の他端側に第１の面ファスナーが設けられるとともに、この第１の面ファスナーを係脱自在に係止する第２の面ファスナーが固定ベルト又は面防具本体の所定箇所に設けられ、上記各固定ベルトが、上記一端側を連結した顔防護部から面防具本体の後方側を周回するようにして顔防護部付近まで伸ばされるとともに、その顔防護部付近から折り返えされた状態で第１の面ファスナーが第２の面ファスナーに係止されることにより、面防具本体を頭部に対し固定してその固定した状態を維持できるように構成されているものである。
【０００７】
本願発明の請求項２に記載の面防具は、上記請求項１に係る面防具が、固定ベルトを顔防護部から折り返すための折り返し補助部材を、更に備え、上記固定ベルトは、所定の幅を有する帯状のものから構成され、上記折り返し補助部材は、顔防護部に連結された折り曲げ自在な連結片と、この連結片に設けられベルト掛軸とを備え、このベルト掛軸に、固定ベルトが掛けられて折り返されることにより、この折り返し補助部材を介して、固定ベルトが顔防護部から折り返えされるものである。
【０００８】
本願発明の請求項３に記載の面防具は、上記請求項１又は２に係る面防具本体が、固定ベルトを保持する少なくとも１つのベルト保持部を備え、上記ベルト保持部は、夫々、ベルト挿通孔を備え、このベルト挿通孔に固定ベルトが挿通されることにより、固定ベルトが面防具本体に対する所定位置に配設可能とされるとともに、その所定位置に配設された状態に保持されるものである。
【発明の効果】
【０００９】
本願の請求項１記載の発明においては、例えば各固定ベルトを、その一端側を連結した顔防護部から面防具本体の後方側を周回させるようにして顔防護部側に伸ばすとともに、その顔防護部付近から折り返し、その折り返えしに際して、頭部に装備した面防具本体を頭部に対して固定できるように配設しておく。そして、その折り返えした固定ベルトを操作することによって面防具本体を頭部に対して固定し、その固定した状態で、第１の面ファスナーを第２の面ファスナーに係止することにより、その固定した状態を維持できる。
【００１０】
これにより、単に第１の面ファスナーと第２の面ファスナーとを係止すれば良く、誰にでも簡単に、しかも、短時間で頭部に装備した面防具本体を頭部に対して固定することができ、使用便利なものにできる。
【００１１】
本願の請求項２記載の発明においては、顔防護部と連結した連結片に設けられたベルト掛軸に固定ベルトが掛けられて折り返されることにより、折り返し補助部材を介して、固定ベルトを顔防護部から折り返えすことができる。
【００１２】
又、折り返えした固定ベルトを引っ張り操作して、ベルト掛軸からの折り返えし長さを調整することにより、面防具本体を周回した固定ベルトの部分で締めつけて固定することができる。
【００１３】
また、連結片が折り曲げ自在なものから構成されているため、ベルト掛軸からの折り返えし長さを調整する際、ベルト掛軸に、固定ベルトの幅方向のほぼ全体に渡ってほぼ均等に力をかけながら行うことができる。これにより、固定ベルトがベルト掛軸を滑り易くすることができ、ベルト掛軸からの折り返えし長さを調整し易いものにできる。従って、面防具本体を締めつけ易く固定し易いものにできる。
【００１４】
しかも、固定ベルトが、所定の幅を有する帯状のものから構成されているため、面防具本体を周回した部分で確実に締めつけて強固に固定することができる。
【００１５】
本願発明の請求項３記載の面防具においては、面防具本体が、ベルト挿通孔を有する複数のベルト保持部を備えているため、固定ベルトをベルト保持部のベルト挿通孔に挿通すれば良く、これにより、固定ベルトを、面防具本体に対して、面防具本体と頭部とを固定するのに適した所定位置に配設できる。従って、初心者等でも固定ベルトを面防具本体に対する所定位置に容易に配設できる。
【００１６】
又、所定位置に配設した後は、固定ベルトを、その所定位置に配設した状態に保持できる。従って、使用中に、固定ベルトがその所定位置からの位置ずれを起こすようなことを確実に防止でき、面防具本体が頭部から外れるようなことを防止できる。
【発明を実施するための最良の形態】
【００１７】
以下、図面を参照して本発明を具体的に説明する。図１は、本願発明の一実施形態の逮捕術防具の面防具１の正面図、図２は、その右側面図、図３は、その背面図である。
【００１８】
この実施形態の面防具１は、逮捕術防具の一部を構成する面防具として実施されている。この面防具１は、面防具本体２と、第１の固定ベルト３及び第２の固定ベルト４の２つの固定ベルトと、第１の折り返し補助部材８ａ及び第２の折り返し補助部材８ｂの２つの折り返し補助部材とを備えている。
【００１９】
面防具本体２は、面ぶとん部５と、面金６とを備えている。面ぶとん部５は、人間における頭部上面や頭部側面等の部分を覆って防護する頭防護部としてのもので、布等から所定の厚さで形成された変形可能なものから構成されている。又、面ぶとん部５の前面側、後面側、及び下面側には開口部が備えられている。
【００２０】
又、面ぶとん部５における右側面の後部側には、下方ベルト保持部５１ａと、この下方ベルト保持部５１ａの上部側に配設された上方ベルト保持部５２ｂとが設けられている。下方ベルト保持部５１ａは、第１の固定ベルト３を挿通して保持するためのもので、第１の固定ベルト３を挿通する挿通孔５６を備えている。又、上方ベルト保持部５２ｂは、第２の固定ベルト４を挿通して保持するためのもので、第２の固定ベルト４を挿通する挿通孔５６を備えている。
【００２１】
この実施形態では、下方ベルト保持部５１ａ及び上方ベルト保持部５２ｂは、面ぶとん部５に、皮革製のほぼ長方形状の薄板状の保持片５５における長手方向の両端を夫々、ピン５７等の係止手段によって係止することによって、保持片５５と面ぶとん部５との間に挿通孔５６を有するものとされている。
【００２２】
また、面ぶとん部５における左側面の後部側にも、図３に示すように、下方ベルト保持部５１ｂと上方ベルト保持部５２ａとを備えている。この左側面の下方ベルト保持部５１ｂは、第２の固定ベルト４を挿通して保持するためのもので、又、左側面の上方ベルト保持部５２ａは、第１の固定ベルト３を挿通して保持するためのものである。
【００２３】
尚、左側面の下方ベルト保持部５１ｂ及び上方ベルト保持部５２ａは、上記右側面のものと同じ構成を採っている。又、左側面の下方ベルト保持部５１ｂと右側面の下方ベルト保持部５１ａ、左側面の上方ベルト保持部５２ｂと右側面の上方ベルト保持部５２ａとは、夫々、左右対称となる位置に配設されている。
【００２４】
又、これらの下方ベルト保持部５１ａ、５１ｂ及び上方ベルト保持部５２ａ、５２ｂの面防具本体に対する位置は、第１の固定ベルト３及び第２の固定ベルト４によって面防具本体２と頭部とを固定するのに適した位置として設定された位置である。
【００２５】
面防具本体２の面金６は、顔部を前方側から覆って防護する顔防護部としてのもので、枠金具６０と、縦金具６１と、横金具とを備えている。横金具は、最も上側に配設された最上横金具６２ａと、最も下側に配設された最下横金具６２ｂと、最上横金具６２ａと最下横金具６２ｂとの間に配設された複数の中間横金具６２ｃとを備えている。
【００２６】
又、枠金具６０と最上横金具６２ａとの間、最上横金具６２ａと中間横金具６２ｃとの間、中間横金具６２ｃ同士間、中間横金具６２ｃと最下横金具６２ｂとの間、及び最下横金具６２ｂと枠金具６０との間には、夫々、隙間が形成されている。また、これらの隙間は、縦金具６１によって、複数の右隙間６３ａと、複数の左隙間６３ｂとに区画されている。
【００２７】
そして、このように構成された面金６は、面ぶとん部５の前部側に、面ぶとん部５の前面を覆うように取り付けられている。又、面金６が取り付けられた面防具本体２は、面金６の後方側から隙間６３ａ、６３ｂを介して前方側を見ることができるようになっている。
【００２８】
次に、第１の折り返し補助部材８ａ及び第２の折り返し補助部材８ｂについて説明する。第１の折り返し補助部材８ａは第１の固定ベルト３の中間部を面防具本体２に連結させて折り返らせるためのもので、第２の折り返し補助部材８ｂは第２の固定ベルト４の中間部を面防具本体２の面金６に連結させて折り返らせるためのものである。これらの第１の折り返し補助部材８ａと第２の折り返し補助部材８ｂとは同一構成を採っている。従って、以下に、第１の折り返し補助部材８ａについて説明し、第２の折り返し補助部材８ｂの説明を省略する。
【００２９】
第１の折り返し補助部材８ａは、図５に示すように、展開状態で長尺帯状を呈する連結片８１と、展開した状態における連結片８１の両側に夫々、設けられたベルト折り返し部８２、８２とを備えている。
【００３０】
連結片８１は、折り曲げ自在なものから構成されている。この実施形態では、皮革から形成されて全体が折り曲げ自在なものとされている。又、連結片８１の長さは、展開した状態で２００ｍｍ程度である。また、連結片８１の幅は、第１の固定ベルト３の幅と同じ程度とされている。
【００３１】
ベルト折り返し部８２は、夫々、第１の固定ベルト３を挿通するベルト挿通孔８３と、第１の固定ベルト３を掛けて折り返すためのベルト掛軸８４とを備えている。
【００３２】
このように構成された第１の折り返し補助部材８ａと第２の折り返し補助部材８ｂとは、夫々、例えば、次のようにして面金６に連結されている。第１の折り返し補助部材８ａは、図１、図７に示すように、展開状態の第１の折り返し補助部材８ａの長手方向の一端側を、面金６における枠金具６０と最上横金具６２ａとの間の左隙間６３ｂに前方側から面金６の内部に入れる。
【００３３】
更に、その面金６の内部に入れた一端側を、最上横金具６２ａとそれに隣接する中間横金具６２ｃとの間の左隙間６３ｂから前方側に引き出す。そして、その左隙間６３ｂから出た一端側のベルト掛軸８４と、他端側のベルト掛軸８４とが重なり合う程度になった状態で、連結片８１が面金６の最上横金具６２ａの左端側に連結されている。
【００３４】
第２の折り返し補助部材８ｂは、上記第１の折り返し補助部材８ａと同様にして、図１、図２に示すように、連結片８１が面金６の最上横金具６２ａの右端側に連結されている。
【００３５】
次に、第１の固定ベルト３と第２の固定ベルト４について説明する。この実施形態では、第１の固定ベルト３と第２の固定ベルト４とも、同一構成を採っている。従って、以下に、第１の固定ベルト３について説明し、第２の固定ベルト４の説明を省略する。
【００３６】
第１の固定ベルト３は、図４に示すように、皮革製の長尺帯状のものから構成されている。この実施形態では、全長が９００ｍｍ程度で、幅が３０ｍｍ程度のものから構成されている。尚、第１の固定ベルト３は、皮革から構成するものに限らず、折り曲げ自在なものであれば良く、例えば布、合成樹脂等から構成しても良く、適宜変更しうる。
【００３７】
この第１の固定ベルト３は、長手方向の一端（図４では、左端として現れている）に、連結具７１を備えている。この連結具７１は、第１の固定ベルト３の一端側を面防具本体２の面金６に連結するためのもので、この実施形態では、折り返しベルト挿通孔７２を有するものからなる。
【００３８】
この折り返しベルト挿通孔７２は、第１の固定ベルト３を通す程度の大きさのものから構成されており、例えば図６に示すように、面金６の最下横金具６２ｂを巻回するようにして折り返した第１の固定ベルト３を、その他端（図４では、右端として現れている））から通すことができるようになっている。
【００３９】
又、図４に示すように、第１の固定ベルト３は、上記右端部の表面に、第１の面ファスナー７３を備えている。この実施形態では、第１の面ファスナー７３は、上記右端から２０ｍｍ程度の長さで、幅全体に形成されている。
【００４０】
更に、第１の固定ベルト３は、長手方向の略中央部における表面に、第１の面ファスナー７３と係脱自在に係止する第２の面ファスナー７４を備えている。この実施形態における第２の面ファスナー７４は、長さが３０ｍｍ程度で、幅全体に形成されている。
【００４１】
以上のように構成された第１の固定ベルト３及び第２の固定ベルト４は、例えば面防具本体２に、以下のように配設される。
【００４２】
第１の固定ベルト３における連結具７１を有する一端側は、例えば図１、図６に示すように、面防具本体２の面金６における最下横金具６２ｂの右部を巻回した状態で連結されている。
【００４３】
詳しくは、連結具７１を有する側とは反対側の他端側を、面防具本体２の面金６における最下横金具６２ｂとその上の中間横金具６２ｃとの間の右隙間６３ａに、面金６の前方側から通して面防具本体２の内部に入れる。更に、その内部に入れた他端側を、面金６における最下横金具６２ｂの下方側の右隙間６３ａから前方側に出すとともに、連結具７１の折り返しベルト挿通孔７２に通していく。このようにして、第１の固定ベルト３の一端側が、面金６における最下横金具６２ｂの右部に巻回した状態で連結されている。
【００４４】
第１の固定ベルト３における中間部は、図２に示すように、上記面金６の最下横金具６２ｂの右部から面防具本体２の面ぶとん部５における右側面の後部側に伸ばされ、下方ベルト保持部５１ａの挿通孔５６に通されている。
【００４５】
又、図３に示すように、ベルト保持部５１ａの挿通孔５６から、面防具本体２の面ぶとん部５の後方側に回され、その後方側から上方ベルト保持部５２ａの挿通孔（図示せず）に通されている。
【００４６】
更に、上方ベルト保持部５２ａの挿通孔から、図７に示すように、予め面防具本体２の面金６の左部に連結された第１の折り返し補助部材８ａにおける２つのベルト折り返し部８２のベルト挿通孔８３に順次挿通されるとともに、２つのベルト掛軸８４に掛けられて折り返されている。これにより、第１の固定ベルト３を、面金６及び第１の折り返し補助部材８ａを介して折り返すことができる。この折り返しにより、第１の固定ベルト３の他端側の第１の面ファスナー７３は、第２の面ファスナー７４と対向する。
【００４７】
そして、図３に示すように、対向する第１の面ファスナー７３と第２の面ファスナー７４とが係止されている。
【００４８】
第２の固定ベルト４は、例えば上記第１の固定ベルト３と左右対称になるように配設される。詳しくは、第２の固定ベルト４の一端側は、図１に示すように、面金６における最下横金具６２ｂの左部に巻回した状態で連結されている。
【００４９】
又、第２の固定ベルト４の中間部は、その最下横金具６２ｂの左部から、図３に示すように、下方ベルト保持部５１ｂに通されて保持され、その下方ベルト保持部５１ｂから、面防具本体２の後方側に回され、第１の固定ベルト３と交差するようにして上方ベルト保持部５２ｂに通されて保持されている。
【００５０】
更に、第２の固定ベルト４は、図２に示すように、予め面防具本体２の面金６に連結されたベルト折り返し部８２のベルト挿通孔８３に通されるとともに、ベルト掛軸８４に掛けられて折り返され、第１の面ファスナー７３と第２の面ファスナー７４とが係止されている。
【００５１】
次に、以上のように構成された面防具１を頭部に装備し固定する場合について説明する。尚、この面防具１は、通常、第１の固定ベルト３及び第２の固定ベルト４の夫々の第１の面ファスナー７３を、第２の面ファスナー７４に係止した図２、図３に示す状態で保管等され、この状態から使用される。従って、図２、図３に示す状態から説明する。
【００５２】
まず、図２、図３に示す状態から、第１の面ファスナー７３を第２の面ファスナー７４から外す。そして、この状態で、面防具本体２の面ぶとん部５における左右両側の後下方部を手で押し広げるように押圧する。
【００５３】
これにより、面ぶとん部５を締めつけていた第１の固定ベルト３及び第２の固定ベルト４が緩み、面ぶとん部５の下方から後方にかけての開口部の幅を広くできる。そして、この状態で、面防具本体２を、その押し広げた開口部から頭に被るようにする。これにより、面防具本体２を頭に装備できる。
【００５４】
次に、図８に示すように、第１の固定ベルト３及び第２の固定ベルト４の他端側を後方側に引っ張る。これにより、掛軸８４からの第１の固定ベルト３、第２の固定ベルト４の夫々の折り返し長さが徐々に長くなっていき、それに伴い、第１の固定ベルト３及び第２の固定ベルト４が面ぶとん部５を締めつけていく。これにより、面防具本体２を頭に固定できる。
【００５５】
又、その第１の固定ベルト３または第２の固定ベルト４の他端側を後方側に引っ張る際、折り返し補助部材８ａ、８ｂの連結片８１が折り曲げ自在なものから構成されているため、ベルト掛軸８４に、固定ベルト３、４の幅方向のほぼ全体に渡ってほぼ均等に力をかけながら行うことができる。これにより、固定ベルト３、４がベルト掛軸を滑り易くすることができる。
【００５６】
従って、ベルト掛軸８４からの折り返えし長さを調整し易いものにでき、第１の固定ベルト３及び第２の固定ベルト４が面ぶとん部５を締めつけ易く、固定し易いものにできる。
【００５７】
そして、面ぶとん部５を頭に固定した状態で、第１の固定ベルト３及び第２の固定ベルト４の夫々の第１の面ファスナー７３を、第２の面ファスナー７４に係止しておく。これにより、固定した状態に維持できる。
【００５８】
その際、第１の固定ベルト３及び第２の固定ベルト４は、下方ベルト保持部５１ａ、５１ｂ及び上方ベルト保持部５２ａ、５２ｂを通っており、第１の固定ベルト３及び第２の固定ベルト４が面防具本体２に対して、面防具本体２と頭部とを固定するのに適した所定位置に配設されているため、確実に固定できる。
【００５９】
又、固定した後は、第１の固定ベルト３及び第２の固定ベルト４は、下方ベルト保持部５１ａ、５１ｂ及び上方ベルト保持部５２ａ、５２ｂに保持され、使用中に位置ずれを起こすようなことが防止される。これにより、使用中に、第１の固定ベルト３及び第２の固定ベルト４が位置ずれを起こして、面防具本体２が頭部から外れるようなことを確実に防止できる。
【００６０】
尚、上記実施形態では、第２の面ファスナー７４を、固定ベルト３、４に設けているが、この形態のものに限らず、例えば第２の面ファスナー７４を、面防具本体２の面ぶとん部５に設けるようにしても良く、適宜変更し得る。
【００６１】
又、上記実施形態では、固定ベルト３、４は、折り返し補助部材８ａ、８ｂを介して間接的に面防具本体２の面金６に連結させて折り返しているが、この形態のものに限らず、例えば固定ベルト３、４の中間部を、面金６の最上横金具６２ａまたは中間横金具６２ｂに直接連結させて折り返すようにしても良い。
【００６２】
ただし、この場合は、折り返した固定ベルト３、４を引っ張る際、最上横金具６２ａ又は中間横金具６２ｂに、固定ベルト３、４の幅方向の全体にわたって均等に力をかけ難く、固定ベルト３、４にかかる長手方向の力に対して固定ベルト３、４が最上横金具６２ａ又は中間横金具６２ｂを滑り難くなってしまい、面ぶとん部５を締め付け難い。従って、上記実施形態のように、折り曲げ自在な連結片８１を有する折り返し補助部材８ａ、８ｂを介して、固定ベルト３、４の中間部を、面金６に連結させて折り返すのが好ましい。
【００６３】
又、連結片８１は、全体を折り曲げ自在なものから構成する形態のものに限らず、一部に折り曲げ自在な折り曲げ自在部を有するものであれば良く、適宜変更しうる。
【００６４】
また、上記実施形態では、固定ベルト３、４における一端側を最下横金具６２ｃに、折り返し補助部材８ａ、８ｂを最上横金具６２ａに、夫々、連結させているが、固定ベルト３、４及び折り返し補助部材８ａ、８ｂを連結する横金具（位置）は、特に限定されず、適宜変更できる。
【００６５】
例えば固定ベルト３、４の一端側を最上横金具６２ａまたは中間横金具６２ｃに連結させ、折り返し補助部材８ａ、８ｂを最下横金具６２ｂまたは中間横金具６２ｃに連結させるようにしても良い。
【００６６】
又、上記実施形態では、１つの固定ベルトに対して２つのベルト保持部を設けたものとしているが、この形態のものに限らず、適宜変更できる。例えば１つの固定ベルトに対して１つまたは３つ以上のベルト保持部を設けたものとしても良い。又、ベルト保持部を全く設けないものであっても良い。
【００６７】
又、上記実施形態では、２つの固定ベルト３、４を、互いに面防具本体２の後方側で交差するようにして左右対称になるように配設しているが、面防具本体２に対する固定ベルト３、４の配設位置は、特に限定されず、適宜変更できる。
【００６８】
また、上記実施形態では、本願発明の面防具として逮捕術防具の面防具に実施されているが、例えば剣道に用いられる面防具、あるいは、その他の武道やスポーツをするに際して顔部を含む頭部に装備されその頭部を防護するものに適応できる。
【図面の簡単な説明】
【００６９】
【図１】本願発明の一実施形態の逮捕術防具における面防具１の正面図である。
【図２】その右側面図である。
【図３】その背面図である。
【図４】第１の固定ベルトの正面図である。
【図５】第１の折り返し補助部材の展開状態の正面図である。
【図６】第１の固定ベルトの一端側を面防具本体の面金に連結した状態の要部拡大説明図である。
【図７】第１の折り返し補助部材を、面防具本体の面金に連結した状態の要部拡大説明図である。
【図８】第１の固定ベルト及び第２の固定ベルトによって、面防具本体を頭部に固定する際の説明図である。
【符号の説明】
【００７０】
１    面防具
２    面防具本体
３    第１の固定ベルト
４    第２の固定ベルト
５    面ぶとん部
６    面金
５１ａ、５１ｂ    下方ベルト保持部
５２ａ、５２ｂ    上方ベルト保持部
７３    第１の面ファスナー
７４    第２の面ファスナー
【図１】
2008272050.tif 000003
【図２】
2008272050.tif 000004
【図３】
2008272050.tif 000005
【図４】
2008272050.tif 000006
【図５】
2008272050.tif 000007
【図６】
2008272050.tif 000008
【図７】
2008272050.tif 000009
【図８】
2008272050.tif 000010